Podtech/llm-jp-corpus-v4-ja_patent huggingface dataset:
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
組成物に存在するＳ(−)-８-ヒドロキシ-２-(ジプロピルアミノ)テトラリンのＲ(＋)-８-ヒドロキシ-２-(ジプロピルアミノ)テトラリンに対する比が少なくとも４：１であることを特徴とする、被検体における嘔吐の治療における使用のための８-ヒドロキシ-２-(ジプロピルアミノ)テトラリンを含む組成物。
【請求項２】
Ｓ(−)-８-ヒドロキシ-２-(ジプロピルアミノ)テトラリンのＲ(＋)-８-ヒドロキシ-２-(ジプロピルアミノ)テトラリンに対する比が４：１から１０：１であることを特徴とする、請求項１に記載の組成物。
【請求項３】
Ｓ(−)-８-ヒドロキシ-２-(ジプロピルアミノ)テトラリンのＲ(＋)-８-ヒドロキシ-２-(ジプロピルアミノ)テトラリンに対する比が４：１から８：１であることを特徴とする、請求項１又は２に記載の組成物。
【請求項４】
Ｓ(−)-８-ヒドロキシ-２-(ジプロピルアミノ)テトラリンのＲ(＋)-８-ヒドロキシ-２-(ジプロピルアミノ)テトラリンに対する比が８：１であることを特徴とする、請求項１から３の何れか一項に記載の組成物。
【請求項５】
被検体における嘔吐の治療のための請求項１から４の何れか一項に記載の組成物の使用。
【請求項６】
嘔吐が遅延性嘔吐又は予測性嘔吐であることを特徴とする、請求項５に記載の使用。
【請求項７】
被検体が嘔吐を経験する前に組成物を投与することを特徴とする、請求項５に記載の使用。
【請求項８】
催吐が、妊娠、片頭痛、運動、化学薬品への曝露、放射線への曝露、ウィルス感染、細菌感染から成る群から選択されるイベントに関連することを特徴とする、請求項５に記載の使用。
【請求項９】
被検体に投与されるＳ(−)-８-ヒドロキシ-２-(ジプロピルアミノ)テトラリンの量が少なくとも０．０８ｍｇ／ｋｇである請求項５から８の何れか一項に記載の使用。
【請求項１０】
被検体に投与されるＳ(−)-８-ヒドロキシ-２-(ジプロピルアミノ)テトラリンの量が、０．０８ｍｇ／ｋｇ及び０．１６ｍｇ／ｋｇの間である請求項５から９の何れか一項に記載の方法。
【請求項１１】
被検体に投与されるＲ(＋)-８-ヒドロキシ-２-(ジプロピルアミノ)テトラリンの量が０．０４ｍｇ／ｋｇ未満である請求項５から１０の何れか一項に記載の方法。
【請求項１２】
被検体がヒトであることを特徴とする、請求項５から１１の何れか一項に記載の組成物の使用。
【請求項１３】
被検体における催吐の治療における使用のためのＳ及びＲエナンチオマーの混合物を有する２−アミノテトラリン化合物を含む組成物であって、
化合物が以下の式：
2013508302.tif 000001
を有し、
Ｒ１及びＲ２が、水素、Ｃ１-Ｃ８アルキル、及びＣ１-Ｃ８アルケニルから成る群から独立して選択されるか、あるいは、Ｒ１及びＲ２が、それらが結合する窒素と共に５-から８-員のニトロサイクリック環を形成し、ここで、アルキル、アルケニル、及びニトロサイクリック基は非置換であるか、又は一又は複数のハロゲン原子で置換されることが可能であり、
Ｒ３が、ＯＨ、Ｆ、ＮＨ２、ＣＨ３、及びＳＨから成る群から選択され；
Ｒ４及びＲ５が各々、水素、ハライド、ＯＨ、ＣＦ３、Ｃ１-Ｃ８アルキル、及びＣ１-Ｃ８アルケニル、ＣＯＲ６、及びＯＲ６から成る群から選択され、ここで、アルキル及びアルケニル基は非置換であるか、又は一又は複数のハライド原子で置換されることが可能であり、またここで、Ｒ４及びＲ４は各々、テトラリン環構造の１-、３-、４-、５-、６-、及び７-環位置で独立して置換され、；
Ｒ６が、水素、Ｃ１-Ｃ５アルキル、Ｃ１-Ｃ５アルケニル、及びアミノアルキルから成る群から選択され、
化合物のＳエナンチオマーがＲエナンチオマーより多い量で組成物中に存在することを特徴とする組成物。
【請求項１４】
Ｒ１及びＲ２が各々独立してＣ１-Ｃ８アルキルであり；
Ｒ３がＯＨであり；また
Ｒ４及びＲ５が各々独立して水素であることを特徴とする請求項１３に記載の組成物。
【請求項１５】
Ｒ１及びＲ２が各々独立してｎ-プロピルであることを特徴とする請求項１３に記載の組成物。
。
【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
非複合ボツリヌス毒素を精製するための方法であって、前記方法は、
（ｉ）粗非複合ボツリヌス毒素を提供すること；
（ｉｉ）アニオン交換カラムによる非複合ボツリヌス毒素の捕捉を可能にするように、アニオン交換カラムに前記非複合ボツリヌス毒素をローディングすること；
（ｉｉｉ）前記アニオン交換カラムから前記非複合ボツリヌス毒素を溶出して、非複合ボツリヌス毒素を含む溶離液を得ること；
（ｉｖ）カチオン交換カラムによる非複合ボツリヌス毒素の捕捉を可能にするように、前記アニオン交換カラムからの溶離液を前記カチオン交換カラムにローディングすること；および
（ｖ）前記カチオン交換カラムから、精製非複合ボツリヌス毒素を溶出すること
を含む、方法。
【請求項２】
粗非複合ボツリヌス毒素が、
ボツリヌス毒素複合体を含むサンプルを得ること；
疎水性相互作用カラムによるボツリヌス毒素複合体の捕捉を可能にするように、疎水性相互作用カラムに前記サンプルをローディングすること；
前記疎水性相互作用クロマトグラフィーカラムから前記ボツリヌス毒素複合体を溶出させること；および
前記ボツリヌス毒素複合体を解離して、粗非複合ボツリヌス毒素を含む混合物を得ること
によって得られる、請求項１に記載の方法。
【請求項３】
サンプルがボツリヌス毒素複合体を含む上清またはろ液である、請求項２に記載の方法。
【請求項４】
サンプルが、
ボツリヌス毒素を含む発酵培養物を酸沈殿に供して酸沈殿物を得ること；および
前記沈殿物に対して接線流ろ過を実施して沈殿物を濃縮すること
によって得られる、請求項２に記載の方法。
【請求項５】
サンプルが、発酵培養物の不溶性画分を接線流ろ過に供することによって得られる、請求項２に記載の方法。
【請求項６】
サンプルが、疎水性相互作用カラムへのローディング前にヌクレアーゼ消化に供される、請求項２に記載の方法。
【請求項７】
ヌクレアーゼが動物産物を含まないプロセスに由来する、請求項６に記載の方法。
【請求項８】
動物産物を含まない、請求項１〜７のいずれかに記載の方法。
【請求項９】
精製非複合ボツリヌス毒素が、Ａ型、Ｂ型、Ｃ１型、Ｄ型、Ｆ型、Ｆ型、およびＧ型ボツリヌス毒素の少なくとも１種を含む、請求項１〜８のいずれかに記載の方法。
【請求項１０】
精製非複合ボツリヌス毒素がＡ型ボツリヌス毒素を含む、請求項１〜９のいずれかに記載の方法。
【請求項１１】
精製非複合ボツリヌス毒素が少なくとも９５％純粋である、請求項１〜１０のいずれかに記載の方法。
【請求項１２】
精製非複合ボツリヌス毒素が少なくとも２００ ＬＤ５０単位／ｎｇの活性を有する、請求項１〜１１のいずれかに記載の方法。
【請求項１３】
少なくとも２ｍｇ／Ｌ発酵培養の収率を生じる、請求項１〜１２のいずれかに記載の方法。
【請求項１４】
アニオン性カラムが、Ｑ Ｓｅｐｈａｒｏｓｅ ＨＰ、Ｑ Ｓｅｐｈａｒｏｓｅ Ｆａｓｔ Ｆｌｏｗ、およびＱ ＸＬ Ｓｅｐｈａｒｏｓｅカラムからなる群より選択され、カチオン性カラムが、ＳＰ Ｓｅｐｈａｒｏｓｅ、ＳＰ Ｓｅｐｈａｒｏｓｅ ＨＰ、ＳＰ Ｓｅｐｈｒｏｓｅ Ｆａｓｔ Ｆｌｏｗ、Ｍｏｎｏ Ｓ、Ｓｏｕｒｃｅ−Ｓ、Ｓｏｕｒｃｅ−３０Ｓ、およびＳｏｕｒｃｅ−１５Ｓカラムからなる群より選択される、請求項１〜１３のいずれかに記載の方法。
【請求項１５】
アニオン性カラムに非複合ボツリヌス毒素をローディングするための緩衝液が、Ｔｒｉｓ、ビス−Ｔｒｉｓ、トリエタノールアミン、およびＮ−メチルジエタノールアミンからなる群より選択される、請求項１〜１４のいずれかに記載の方法。
【請求項１６】
緩衝液が７．４〜８．２のｐＨで使用される、請求項１５に記載の方法。
【請求項１７】
カチオン性カラムに非複合ボツリヌス毒素をローディングするための緩衝液が、リン酸ナトリウム、ＭＥＳ、およびＨＥＰＥＳからなる群より選択される、請求項１〜１６のいずれかに記載の方法。
【請求項１８】
緩衝液が６．０〜７．０のｐＨで使用される、請求項１７に記載の方法。
【請求項１９】
アニオン性カラムのｐＨが７．４〜８．２である、請求項１〜１８のいずれかに記載の方法。
【請求項２０】
カチオン性カラムのｐＨが６．０〜7．０である、請求項１〜１９のいずれかに記載の方法。
【請求項２１】
アニオン性カラムからの非複合ボツリヌス毒素を溶出させるための勾配が、塩化ナトリウムの上昇勾配および塩化カリウムの上昇勾配からなる群より選択される、請求項１〜２０のいずれかに記載の方法。
【請求項２２】
勾配が７．４〜８．４のｐＨで使用される、請求項２１に記載の方法。
【請求項２３】
カチオン性カラムから非複合ボツリヌス毒素を溶出させるための勾配が、塩化ナトリウムの上昇勾配および塩化カリウムの上昇勾配からなる群より選択される、請求項１〜２２のいずれかに記載の方法。
【請求項２４】
勾配が６．０〜７．０のｐＨで使用される、請求項２３に記載の方法。
【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
以下の式の化合物：
【化１】
2013508382.tif 000001
［式中、
Ａは
【化２】
2013508382.tif 000002
または
【化３】
2013508382.tif 000003
であり、
Ｒ１は、ＣＨ３、ＣＨ２ＣＨ３またはＣＦ３であり；
Ｒ２は、Ｈ、ＣＦ３、ＣＨ２ＣＦ３、ＣＨ２ＣＨ２ＣＦ３、Ｃ１−Ｃ４アルキル、Ｃ３−Ｃ６シクロアルキル、ＣＮ、Ｃｌ、Ｂｒ、ＣＨ＝ＣＨ２、ＣＨ２ＣＨ２ＯＣＨ３、Ｃ（ＣＨ３）２ＣＨ２ＯＣＨ３またはテトラヒドロピラン−４−イルであり、ここでＣ３−Ｃ６シクロアルキルは１位においてメチルで任意に置換され、テトラヒドロピラン−４−イルは４位においてメチルで任意に置換され、Ｒ３はＨであり；
またはＲ２およびＲ３は両方Ｃｌであり；
Ｒ４はＨであり、Ｒ５はＣＨ３、Ｃ（ＣＨ３）３、ＣＨ（ＣＨ３）２、シクロブチル、シクロペンチル、ＣＨ２−シクロプロピル、Ｃ（ＣＨ３）２ＣＨ２ＣＨ３またはテトラヒドロピラン−４−イルであり；
またはＲ４およびＲ５は両方ＣＨ３であり；
またはＲ４およびＲ５は、それらが結合するＮと一緒に３位においてヒドロキシで任意に置換されるピロリジン、またはアゼチジンを形成する］
またはその医薬的に許容可能な塩。
【請求項２】
（Ｒ）−５−メチル−４−（４−（１−（２−（ピロリジン−１−イル）エチル）−４−（３，３，３−トリフルオロプロピル）−１Ｈ−イミダゾール−２−イル）ピペリジン−１−イル）−５，６−ジヒドロピリド［２，３−ｄ］ピリミジン−７（８Ｈ）−オン；
（Ｒ）−４−（４−（４−エチル−１−（２−（ピロリジン−１−イル）エチル）−１Ｈ−イミダゾール−２−イル）ピペリジン−１−イル）−５−メチル−５，６−ジヒドロピリド［２，３−ｄ］ピリミジン−７（８Ｈ）−オン；および
（Ｒ）−４−（４−（１−（２−（アゼチジン−１−イル）エチル）−４−（２，２，２−トリフルオロメチル）−１Ｈ−イミダゾール−２−イル）ピペリジン−１−イル）−５−（トリフルオロメチル）−５，６−ジヒドロピリド［２，３−ｄ］ピリミジン−７（８Ｈ）−オン
から選択される請求項１に記載の化合物またはその医薬的に許容可能な塩。
【請求項３】
請求項１または２に記載の化合物、またはその医薬的に許容可能な塩、および医薬的に許容可能な担体、希釈剤または賦形剤を含む、肺癌、乳癌または膠芽細胞腫を治療するための医薬製剤。
【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
式Ｉ：
【化１】
2013508384.tif 000001
（式中、
Ｒ1はメトキシ基、メチル基、クロロ基、フルオロ基、ブロモ基から選択され；
Ｒ2はメトキシ基、メチル基、クロロ基、フルオロ基、ブロモ基から選択される；
ただし、Ｒ1およびＲ2は同時にメチル基にならない）
を有する化合物。
【請求項２】
以下の化合物：
Ｎ−（２−ブロモ−３−メチル−フェニル）−３，４−ジヒドロ−２Ｈ−ピロール−５−アミン；
Ｎ−（３−クロロ−２−メトキシフェニル）−３，４−ジヒドロ−２Ｈ−ピロール−５−アミン；
Ｎ−（３−クロロ−２−メチルフェニル）−３，４−ジヒドロ−２Ｈ−ピロール−５−アミン；
Ｎ−（２−クロロ−３−メチルフェニル）−３，４−ジヒドロ−２Ｈ−ピロール−５−アミン；
Ｎ−（２−メトキシ−３−メチルフェニル）−３，４−ジヒドロ−２Ｈ−ピロール−５−アミン；
Ｎ−（３−クロロ−２−フルオロフェニル）−３，４−ジヒドロ−２Ｈ−ピロール−５−アミン；
Ｎ−（２−ブロモ−３−メトキシフェニル）−３，４−ジヒドロ−２Ｈ−ピロール−５−アミン；
Ｎ−（３−メトキシ−２−メチルフェニル）−３，４−ジヒドロ−２Ｈ−ピロール−５−アミン；
Ｎ−（３−フルオロ−２−メチルフェニル）−３，４−ジヒドロ−２Ｈ−ピロール−５−アミン；
Ｎ−（３−ブロモ−２−メチルフェニル）−３，４−ジヒドロ−２Ｈ−ピロール−５−アミン
から選択される構造を有する請求項１に記載の化合物。
【請求項３】
式Ｉ：
【化２】
2013508384.tif 000002
（式中、
Ｒ1はメトキシ基、メチル基、クロロ基、フルオロ基、ブロモ基から選択され；
Ｒ2はメトキシ基、メチル基、クロロ基、フルオロ基、ブロモ基から選択される；
ただし、Ｒ1およびＲ2は同時にメチル基とならない）
の化合物を含む医薬組成物。
【請求項４】
以下の化合物：
Ｎ−（２−ブロモ−３−メチル−フェニル）−３，４−ジヒドロ−２Ｈ−ピロール−５−アミン；
Ｎ−（３−クロロ−２−メトキシフェニル）−３，４−ジヒドロ−２Ｈ−ピロール−５−アミン；
Ｎ−（３−クロロ−２−メチルフェニル）−３，４−ジヒドロ−２Ｈ−ピロール−５−アミン；
Ｎ−（２−クロロ−３−メチルフェニル）−３，４−ジヒドロ−２Ｈ−ピロール−５−アミン；
Ｎ−（２−メトキシ−３−メチルフェニル）−３，４−ジヒドロ−２Ｈ−ピロール−５−アミン；
Ｎ−（３−クロロ−２−フルオロフェニル）−３，４−ジヒドロ−２Ｈ−ピロール−５−アミン；
Ｎ−（２−ブロモ−３−メトキシフェニル）−３，４−ジヒドロ−２Ｈ−ピロール−５−アミン；
Ｎ−（３−メトキシ−２−メチルフェニル）−３，４−ジヒドロ−２Ｈ−ピロール−５−アミン；
Ｎ−（３−フルオロ−２−メチルフェニル）−３，４−ジヒドロ−２Ｈ−ピロール−５−アミン；
Ｎ−（３−ブロモ−２−メチルフェニル）−３，４−ジヒドロ−２Ｈ−ピロール−５−アミン
から選択される少なくとも１つの化合物を含む請求項３に記載の医薬組成物。
【請求項５】
以下の化合物：
Ｎ−（２−クロロフェニル）−３，４−ジヒドロ−２Ｈ−ピロール−５−アミン；
Ｎ−（２，６−ジクロロフェニル）−３，４−ジヒドロ−２Ｈ−ピロール−５−アミン；Ｎ−（２−メチルフェニル）−３，４−ジヒドロ−２Ｈ−ピロール−５−アミン；
Ｎ−［２−（トリフルオロメチル）フェニル］−３，４−ジヒドロ−２Ｈ−ピロール−５−アミン；
Ｎ−（２，６−ジメチルフェニル）−３，４−ジヒドロ−２Ｈ−ピロール−５−アミン；Ｎ−（２，３−ジメチルフェニル）−３，４−ジヒドロ−２Ｈ−ピロール−５−アミン、から選択される少なくとも１つの化合物を含む医薬組成物。
【請求項６】
２Ｃアドレナリン受容体のサブタイプ選択性調節に関連する疾患の治療用医薬組成物を製造するための、式Ｉ：
【化３】
2013508384.tif 000003
（式中、Ｒ1はメトキシ基、メチル基、クロロ基、フルオロ基、ブロモ基から選択され、Ｒ2はメトキシ基、メチル基、クロロ基、フルオロ基、ブロモ基から選択される）の構造を有する少なくとも１つの化合物の使用。
【請求項７】
前記化合物が、
Ｎ−（２−ブロモ−３−メチル−フェニル）−３，４−ジヒドロ−２Ｈ−ピロール−５−アミン；
Ｎ−（３−クロロ−２−メトキシフェニル）−３，４−ジヒドロ−２Ｈ−ピロール−５−アミン；
Ｎ−（３−クロロ−２−メチルフェニル）−３，４−ジヒドロ−２Ｈ−ピロール−５−アミン；
Ｎ−（２−クロロ−３−メチルフェニル）−３，４−ジヒドロ−２Ｈ−ピロール−５−アミン；
Ｎ−（２−メトキシ−３−メチルフェニル）−３，４−ジヒドロ−２Ｈ−ピロール−５−アミン；
Ｎ−（３−クロロ−２−フルオロフェニル）−３，４−ジヒドロ−２Ｈ−ピロール−５−アミン；
Ｎ−（２−ブロモ−３−メトキシフェニル）−３，４−ジヒドロ−２Ｈ−ピロール−５−アミン；
Ｎ−（３−メトキシ−２−メチルフェニル）−３，４−ジヒドロ−２Ｈ−ピロール−５−アミン；
Ｎ−（３−フルオロ−２−メチルフェニル）−３，４−ジヒドロ−２Ｈ−ピロール−５−アミン；
Ｎ−（３−ブロモ−２−メチルフェニル）−３，４−ジヒドロ−２Ｈ−ピロール−５−アミン
から選択される、請求項６に記載の使用。
【請求項８】
前記病気または症状が、鼻閉からからなる群から選択される、請求項６に記載の使用。
【請求項９】
前記病気または症状が、疼痛、心虚血、片頭痛、皮膚病変、皮膚紅斑（発赤）および炎症、酒さ、ざ瘡、乾癬、鬱、ならびに統合失調症からなる群から選択される請求項６に記載の使用。
【請求項１０】
アルファ２Ｃアドレナリン受容体のサブタイプ選択性調節に関連する疾患の治療用医薬組成物を製造するための、
次の化合物：
Ｎ−（２−クロロフェニル）−３，４−ジヒドロ−２Ｈ−ピロール−５−アミン；
Ｎ−（２，６−ジクロロフェニル）−３，４−ジヒドロ−２Ｈ−ピロール−５−アミン；Ｎ−（２−メチルフェニル）−３，４−ジヒドロ−２Ｈ−ピロール−５−アミン；
Ｎ−［２−（トリフルオロメチル）フェニル］−３，４−ジヒドロ−２Ｈ−ピロール−５−アミン；
Ｎ−（２，６−ジメチルフェニル）−３，４−ジヒドロ−２Ｈ−ピロール−５−アミン；Ｎ−（２，３−ジメチルフェニル）−３，４−ジヒドロ−２Ｈ−ピロール−５−アミン
から選択される少なくとも１つの化合物の使用。
【請求項１１】
前記病気または症状が、鼻閉からなる群から選択される、請求項１０に記載の使用。
【請求項１２】
前記病気または症状が、疼痛、心虚血、片頭痛、皮膚病変、皮膚紅斑（発赤）および炎症、酒さ、ざ瘡、乾癬、鬱、ならびに統合失調症からなる群から選択される、請求項１０に記載の使用。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
式Ｉ：
【化１】
2013508368.tif 000001
（式中、Ｒは、各化合物において独立に、任意選択的に１又は２個のさらなるＮＯ２基により置換されていてもよいＣ１−Ｃ１２炭化水素基である）
により表される２又は３種以上の化合物を含むニトロ化炭化水素組成物の製造方法であって、
（ａ）炭化水素供給原料及び水性供給物を含む反応混合物を形成する工程、ここで、前記水性供給物は、水、約１０〜約５０質量％の硝酸及び少なくとも約１５質量％の式ＩＩ：
【化２】
2013508368.tif 000002
（式中、Ｒ１はＣ１−Ｃ１２アルキル又はＣ３−Ｃ１２シクロアルキルである）
により表されるカルボン酸を含む；及び
（ｂ）前記混合物を反応圧力及び反応温度で反応させて前記ニトロ化炭化水素組成物を含む生成物流をもたらす工程、
を含む、ニトロ化炭化水素組成物の製造方法。
【請求項２】
前記生成物流がさらにカルボン酸副生成物を含み、前記カルボン酸副生成物の少なくとも一部がリサイクルされ、工程（ａ）のカルボン酸として使用される、請求項１に記載の方法。
【請求項３】
前記水性供給物が約１５〜４０質量％の硝酸を含む、請求項１〜２のいずれか一項に記載の方法。
【請求項４】
前記水性供給物が式ＩＩにより表されるカルボン酸を少なくとも約４０質量％含む、請求項１〜３のいずれか一項に記載の方法。
【請求項５】
（ａ）プロパンと、水、約１０〜約５０質量％の硝酸及び少なくとも約１５質量％の酢酸を含む水性供給物とを含む反応混合物を形成する工程；及び
（ｂ）前記混合物を、少なくとも約１０００ｐｓｉ（６８ａｔｍ）及び約１８０〜約３２５℃の温度で反応させてニトロ化炭化水素組成物を含む生成物流をもたらす工程、
を含む、ニトロ化炭化水素組成物の製造方法。
【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
ＴＧＦβをコーディングするヌクレオチド配列が導入された間葉系幹細胞と、薬剤学的に許容可能な担体と、を含む個体の自家免疫疾患治療用の組成物。
【請求項２】
前記ＴＧＦβをコーディングするヌクレオチド配列は、配列番号２のアミノ酸配列をコーディングするものであることを特徴とする請求項１に記載の自家免疫疾患治療用の組成物。
【請求項３】
前記ＴＧＦβをコーディングするヌクレオチド配列は、配列番号１のヌクレオチド配列を有するものであることを特徴とする請求項１または２に記載の自家免疫疾患治療用の組成物。
【請求項４】
前記ＴＧＦβをコーディングするヌクレオチド配列は、アデノウイルス関連ベクターによって導入されたものであることを特徴とする請求項１〜３のいずれか１項に記載の自家免疫疾患治療用の組成物。
【請求項５】
前記間葉系幹細胞は、骨髄由来間葉系幹細胞または脂肪由来間葉系幹細胞であることを特徴とする請求項１〜４のいずれか１項に記載の自家免疫疾患治療用の組成物。
【請求項６】
ＴＧＦβをコーディングするヌクレオチド配列が導入されていない間葉系幹細胞に比べ、ＴＧＦβをコーディングするヌクレオチド配列が導入された前記間葉系幹細胞は、個体内でＴＧＦβを過発現することを特徴とする請求項１〜５のいずれか１項に記載の自家免疫疾患治療用の組成物。
【請求項７】
前記自家免疫疾患は、急性散在性脳脊髓炎（ＡＤＥＭ）、アジソン病（ａｄｄｉｓｏｎ’ｓ  ｄｉｓｅａｓｅ）、自家免疫溶血性貧血（ａｕｔｏｉｍｍｕｎｅ  ｈｅｍｏｌｙｔｉｃ  ａｎｅｍｉａ）、自家免疫肝炎（ａｕｔｏｉｍｍｕｎｅ  ｈｅｐａｔｉｔｉｓ）、慢性閉鎖性肺疾患（ＣＯＰＤ）、クローン病（Ｃｒｏｈｎｓ  ｄｉｓｅａｓｅ）、Ｉ型糖尿病（Ｄｉａｂｅｔｅｓ  ｍｅｌｌｉｔｕｓ  ｔｙｐｅ  １）、特発血小板減少性紫斑病（ｉｄｉｏｐａｔｈｉｃ  ｔｈｒｏｍｂｏｃｙｔｏｐｅｎｉｃ  ｐｕｒｐｕｒａ）、紅班ループス（Ｌｕｐｕｓ  ｅｒｙｔｈｅｍａｔｏｓｕｓ）、多発性硬化症（ＭＳ）、尋常性天疱瘡（ｐｅｍｐｈｉｇｕｓ  ｖｕｌｇａｒｉｓ）、悪性貧血（ｐｅｒｎｉｃｉｏｕｓ  ａｎａｅｍｉａ）、乾癬（ｐｓｏｒｉａｓｉｓ）、乾癬関節炎（ｐｓｏｒｉａｔｉｃ  ａｒｔｈｒｉｔｉｓ）、リューマチ関節炎（ｒｈｅｕｍａｔｏｉｄ  ａｒｔｈｒｉｔｉｓ）、シューグレン症候群（Ｓｊｏｇｒｅｎ’ｓ  ｓｙｎｄｒｏｍｅ）、潰瘍性結腸炎（ｕｌｃｅｒａｔｉｖｅ  ｃｏｌｉｔｉｓ）及び血管炎（ｖａｓｃｕｌｉｔｉｓ）から構成された群から選択されることを特徴とする請求項１〜６のいずれか１項に記載の自家免疫疾患治療用の組成物。
【請求項８】
前記ＴＧＦβをコーディングするヌクレオチド配列が導入された間葉系幹細胞は、ＴＧＦβをコーディングするヌクレオチド配列が導入されていない骨髄間葉系幹細胞に比べ、自家抗原特異的ＣＤ４＋ＣＤ３５＋Ｆｏｘｐ３＋調節性Ｔ細胞を増加させ、Ｔｈ１７細胞を減少させることを特徴とする請求項１〜７のいずれか１項に記載の自家免疫疾患治療用の組成物。
【請求項９】
前記個体は、哺乳動物であることを特徴とする請求項１〜８のいずれか１項に記載の自家免疫疾患治療用の組成物。
【請求項１０】
前記哺乳動物は、ヒトまたはマウスであることを特徴とする請求項９に記載の自家免疫疾患治療用の組成物。
【請求項１１】
請求項１〜１０のいずれか１項に記載の自家免疫疾患治療用の組成物を個体に投与する段階を含む個体の自家免疫疾患を治療する方法。
【請求項１２】
ＴＧＦβをコーディングするヌクレオチド配列が導入された間葉系幹細胞と、薬剤学的に許容可能な担体と、を含む薬学的組成物を個体に投与する段階を含む、自家抗原特異的ＣＤ４＋ＣＤ２５＋Ｆｏｘｐ３＋調節性Ｔ細胞を増加させ、Ｔｈ１７細胞は減少させる方法。
【請求項１３】
前記個体は、ヒトではない哺乳動物であることを特徴とする請求項１１または請求項１２に記載の方法。
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
フッ素化カルボン酸及びその塩を調製するための方法であって、一般式（Ａ）のフッ素化アルコール：
Ａ−ＣＨ2−ＯＨ
を、少なくとも１種類の第１の酸化剤及び少なくとも１種類の第２の酸化剤に曝露することにより、一般式（Ｂ）の高度にフッ素化されたカルボン酸：
Ａ−ＣＯＯ-Ｍ+x
［式中、Ｍ+はカチオンを表し、式（Ａ）及び（Ｂ）中のＡは同じであり、Ａは残基：
Ｒｆ−［Ｏ］p−ＣＸ”Ｙ”−［Ｏ］m−ＣＸ’Ｙ’−［Ｏ］n−ＣＸＹ−
を表す（式中、Ｒｆは、１個以上のカテナリー酸素原子を含んでも含まずともよいフッ素化アルキル残基を表し、ｐ、ｍ及びｎは、互いに独立して１又は０であり、Ｘ、Ｘ’、Ｘ”、Ｙ、Ｙ’及びＹ”は、互いに独立してＨ、Ｆ、ＣＦ3又はＣ2Ｆ5であり、ただし、Ｘ、Ｘ’、Ｘ”、Ｙ、Ｙ’及びＹ”のすべてがＨではない）か、あるいは
Ａは残基：
Ｒ−ＣＦＸ−
を表す（式中、Ｘ及びＲは、水素、ハロゲン、又は、１個以上のフッ素原子を含んでも含まずともよく、かつ１個以上のカテナリー酸素原子を含んでも含まずともよいアルキル、アルケニル、シクロアルキル若しくはアリール残基であり；前記少なくとも１種類の第１の酸化剤は、前記第２の酸化剤の作用によって、前記フッ素化アルコールを酸化することが可能な反応種に変換されうる化合物である）］、又はその塩を生成する工程を含む、方法。
【請求項２】
フッ素化カルボン酸及びその塩を調製するための方法であって、一般式（Ａ）のフッ素化アルコール：
Ａ−ＣＨ2−ＯＨ
を、電気化学セル内で電流に曝露することにより、一般式（Ｂ）の高度にフッ素化されたカルボン酸：
Ａ−ＣＯＯ-Ｍ+
［式中、Ｍ+はカチオンを表し、式（Ａ）及び（Ｂ）中のＡは同じであり、残基：
Ｒｆ−［Ｏ］p−ＣＸ”Ｙ”−［Ｏ］m−ＣＸ’Ｙ’−［Ｏ］n−ＣＸＹ−
を表す（式中、Ｒｆは、１個以上のカテナリー酸素原子を含んでも含まずともよいフッ素化アルキル残基を表し、ｐ、ｍ及びｎは、互いに独立して１又は０であり、Ｘ、Ｘ’、Ｘ”、Ｙ、Ｙ’及びＹ”は、互いに独立してＨ、Ｆ、ＣＦ3又はＣ2Ｆ6であり、ただし、Ｘ、Ｘ’、Ｘ”、Ｙ、Ｙ’及びＹ”のすべてがＨではない）］、又はその塩を生成する工程を含む、方法。
【手続補正書】
【提出日】平成25年10月21日(2013.10.21)
【手続補正１】
【補正対象書類名】特許請求の範囲
【補正対象項目名】全文
【補正方法】変更
【補正の内容】
【特許請求の範囲】
【請求項１】
抗ＣＤ３抗体または抗ＣＤ３抗原結合性フラグメントを投与レジメンに従ってヒトに投与することに用いるための医薬組成物であって、
前記ヒトのボディマス指数が約２７以上であり、
前記投与レジメンの初日に投与される前記抗体または抗原結合性フラグメントの量は約０．５ｍｇ未満であり、かつ、
前記抗体または抗原結合性フラグメントは、少なくとも１つのクラスのＦｃ（γ）受容体に結合しないか、またはＡＴＣＣカタログ番号ＣＲＬ−１６２１で寄託された細胞株ＡＲＨ−７７によって産生されるＩｇＧ１免疫グロブリン分子に比べて少なくとも１つのクラスのＦｃ（γ）受容体との結合が低下している、
医薬組成物。
【請求項２】
前記ヒトが、２７未満のＢＭＩを有するヒトで前記投与レジメンにしたがって同等量の前記抗体または抗原結合性フラグメントを投与した場合に観察されるよりも、前記投与レジメン後または前記投与レジメン中に、体重増加が少ないまたは体重減少が多い、請求項１に記載の医薬組成物。
【請求項３】
前記ヒトが、ＢＭＩが約２７以上のヒトで前記投与レジメンにしたがって前記抗体または抗原結合性フラグメントを投与されない場合に観察されるよりも、前記投与レジメン後または前記投与レジメン中に、体重増加が少ないまたは体重減少が多い、請求項１に記載の医薬組成物。
【請求項４】
前記ヒトが、１２ヶ月の最後で体重増加が少ないまたは体重減少が多い、請求項１または２に記載の医薬組成物。
【請求項５】
前記ヒトが、ＢＭＩが約２７以上のヒトで前記投与レジメンにしたがって前記抗体または抗原結合性フラグメントを投与されない場合に観察されるよりも、前記投与レジメン後または前記投与レジメン中に、体重減少が多い、請求項１〜３のいずれか一項に記載の医薬組成物。
【請求項６】
前記ヒトが、ＢＭＩが約２７以上のヒトで前記投与レジメンにしたがって前記抗体または抗原結合性フラグメントを投与されない場合に観察されるよりも、前記投与レジメン後または前記投与レジメン中に、体重増加が少ない、請求項１〜３のいずれか一項に記載の医薬組成物。
【請求項７】
前記ヒトが、約３０以上のボディマス指数を有する、請求項１〜６のいずれか一項に記載の医薬組成物。
【請求項８】
前記ヒトが、約３２以上のボディマス指数を有する、請求項１〜６のいずれか一項に記載の医薬組成物。
【請求項９】
前記ヒトが、約３４以上のボディマス指数を有する、請求項１〜６のいずれか一項に記載の医薬組成物。
【請求項１０】
前記ヒトが、免疫関連疾患を患っている、請求項１〜９のいずれか一項に記載の医薬組成物。
【請求項１１】
前記免疫関連疾患が、１型糖尿病、２型糖尿病、乾癬、関節リウマチ、ループス、炎症性腸疾患、潰瘍性大腸炎、クローン病、グレーブス甲状腺炎、グレーブス眼症、多発性硬化症、メタボリックシンドローム、臓器移植による影響または移植片対宿主病（ＧＶＨＤ）からなる群から選択される、請求項１０に記載の医薬組成物。
【請求項１２】
前記免疫関連疾患が、糖尿病である、請求項１０に記載の医薬組成物。
【請求項１３】
前記ヒトが、免疫関連疾患を患っていない、請求項１〜９のいずれか一項に記載の医薬組成物。
【請求項１４】
前記抗原結合性フラグメントが、Ｆａｂフラグメント、Ｆ（ａｂ’）２フラグメントおよびｓｃＦｖフラグメントからなる群から選択される、請求項１〜１３のいずれか一項に記載の医薬組成物。
【請求項１５】
前記抗体または抗原結合性フラグメントが、キメラである、請求項１〜１４のいずれか一項に記載の医薬組成物。
【請求項１６】
前記抗体または抗原結合性フラグメントが、ヒト化されている、請求項１〜１４のいずれか一項に記載の医薬組成物。
【請求項１７】
前記抗体または抗原結合性フラグメントが、非グリコシル化Ｆｃドメインを含んでなる、請求項１〜１６のいずれか一項に記載の医薬組成物。
【請求項１８】
前記抗体または抗原結合性フラグメントが、配列番号３のアミノ酸配列を含んでなる、請求項１〜１７のいずれか一項に記載の医薬組成物。
【請求項１９】
前記抗体または抗原結合性フラグメントが、配列番号４のアミノ酸配列を含んでなる、請求項１〜１７のいずれか一項に記載の医薬組成物。
【請求項２０】
前記抗体または抗原結合性フラグメントが、配列番号３のアミノ酸配列を含んでなり、かつ、配列番号４のアミノ酸配列をさらに含んでなる、請求項１〜１７のいずれか一項に記載の医薬組成物。
【請求項２１】
前記抗体または抗原結合性フラグメントが、配列番号１のアミノ酸位置２９９に相当するアミノ酸位置にアラニンを含んでなる、請求項１〜１８のいずれか一項に記載の医薬組成物。
【請求項２２】
前記抗体が、ｈＯＫＴ３、ｈＯＫＴ３γ１（Ａｌａ−Ａｌａ）、ＨＵＭ２９１およびＮＩ−０４０１からなる群から選択される、請求項１〜１８のいずれか一項に記載の医薬組成物。
【請求項２３】
前記抗体または抗原結合性フラグメントが、ＡＴＣＣ受入番号ＣＲＬ−１６２１で寄託されたＩｇＧ１抗体に比べて、少なくとも１つのクラスのＦｃ（γ）受容体に対して少なくとも５０％低下した結合を示す、請求項１〜２２のいずれか一項に記載の医薬組成物。
【請求項２４】
前記抗体または抗原結合性フラグメントが、ＯＫＴ３抗体に比べて、少なくとも１つのクラスのＦｃ（γ）受容体に対して少なくとも５０％低下した結合を示す、請求項１〜２２のいずれか一項に記載の医薬組成物。
【請求項２５】
前記投与レジメンが、５日間である、請求項１〜２４のいずれか一項に記載の医薬組成物。
【請求項２６】
前記投与レジメンが、８日間である、請求項１〜２４のいずれか一項に記載の医薬組成物。
【手続補正書】
【提出日】平成25年10月24日(2013.10.24)
【手続補正１】
【補正対象書類名】特許請求の範囲
【補正対象項目名】全文
【補正方法】変更
【補正の内容】
【特許請求の範囲】
【請求項１】
以下の順番で、
（１）ポリマーを機械的に粉砕して、ポリマーパウダーを得る工程と、
（２）工程（１）で得た前記ポリマーパウダーを、抗菌剤とブレンドして、抗菌組成物を得る工程とを含み、前記抗菌剤が、銀、亜鉛または銀−亜鉛複合体が充填されたホスフェートまたはガラスマイクロパウダーである、抗菌組成物を製造する方法。
【請求項２】
請求項１に記載の方法を用いて製造された抗菌組成物。
【請求項３】
請求項２に記載の前記抗菌組成物を含むブラシフィラメント。
【手続補正２】
【補正対象書類名】明細書
【補正対象項目名】００６７
【補正方法】変更
【補正の内容】
【００６７】
【表１】
2013508513.tif 000001
本発明は以下の実施の態様を含むものである。
１．以下の順番で、
（１）ポリマーを機械的に粉砕して、ポリマーパウダーを得る工程と、
（２）工程（１）で得た前記ポリマーパウダーを、抗菌剤とブレンドして、抗菌組成物を得る工程とを含み、前記抗菌剤が、銀、亜鉛または銀−亜鉛複合体が充填されたホスフェートまたはガラスマイクロパウダーである、抗菌組成物を製造する方法。
２．前記ポリマーが、ナイロンポリエステルまたはこれらの組み合わせである前記１に記載の方法。
３．前記機械的粉砕工程が、流動床ジェットミリング、水平ディスクジェットミリング、循環ジェットミリング、対向ジェットミリング、インパクトターゲットジェットミリング、ボールミリングまたはこれらの組み合わせにより実施される前記１に記載の方法。
４．前記ポリマーパウダーの粒子サイズＤ50が、１〜１０ミクロンである前記１に記載の方法。
５．銀、亜鉛または銀−亜鉛複合体の前記充填量が、前記ホスフェートまたは前記ガラスマイクロパウダーの重量を基準として、０．１〜５重量％を占める前記１に記載の方法。
６．前記ホスフェートが、立方晶系結晶リン酸ジルコニウム、層状リン酸ジルコニウムおよびリン酸ナトリウムからなる群から選択される前記１に記載の方法。
７．ガラスマイクロパウダーの平均粒子サイズが、０．１〜３０ミクロンである前記１に記載の方法。
８．前記抗菌剤の量が、前記ポリマー１００重量部を基準として、２〜４０重量部である前記１に記載の方法。
９．前記１に記載の方法を用いて製造された抗菌組成物。
１０．前記９に記載の前記抗菌組成物を含むブラシフィラメント。
１１．前記ブラシフィラメントが、ＰＢＴおよびクレイ添加剤を含み、波形の外観を有する前記１０に記載のブラシフィラメント。
１２．前記ブラシフィラメントの一端または両端が、化学的にティッピングされている前記１１に記載のブラシフィラメント。
１３．前記ブラシフィラメントがポリマーを含み、前記ポリマーが、ナイロン６、ナイロン６６、ナイロン６１０、ナイロン６１２およびナイロン１１からなる群から選択されるナイロン、ポリエチレンテレフタレート、ポリトリメチレンテレフタレート、ポリブチレンテレフタレートおよびこれらの組み合わせからなる群から選択されるポリエステルである前記１０に記載のブラシフィラメント。
１４．抗菌効果ｏが、９９％を超える前記９に記載の抗菌組成物。
【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
５０〜９７質量％の、ＦＧＤ、ギプサム、カオリン及び珪灰石から選択される鉱物Ａ）、
１〜４５質量％の水に溶解されたポリビニルアミンＢ）、
１〜５０質量％の発泡剤Ｃ）、
１〜５質量％の乳化剤Ｄ）、
０〜５質量％の、ポリビニルアミンＢ）と反応性を有する架橋剤Ｅ）
を含む混合物（但し、上記成分Ａ）及びＢ）は固形分に基づく質量％であり、上記成分Ａ）〜Ｅ）の合計が１００質量％である）を発泡させることを特徴とするフォームの製造方法。
【請求項２】
下記の工程：
（ａ）クレイ鉱物Ａ）及びポリビニルアミンＢ）の水溶液から懸濁液を製造する工程、
（ｂ）発泡剤Ｃ）及び乳化剤Ｄ）を添加し、発泡剤を分散させる工程、
（ｃ）ポリビニルアミンＢ）と反応性を有する架橋剤Ｅ）を添加する工程、
（ｄ）工程（ｃ）の後に得られる混合物を、３５〜１００℃の範囲の温度に加温することにより、又は減圧することにより発泡させる工程
を含む請求項１に記載の製造方法。
【請求項３】
乳化剤Ｄ）として、アルキルポリグルコシド、アルキルエーテルサルフェート、又はアルキルエーテルホスフェートを使用する請求項１又は２に記載の製造方法。
【請求項４】
発泡剤Ｃ）としてＣ４〜Ｃ８−炭化水素を使用する請求項１又は２に記載の製造方法。
【請求項５】
架橋剤Ｅ）としてジアルデヒドを使用する請求項１又は２に記載の製造方法。
【請求項６】
鉱物Ａ）及びポリビニルアミンＢ）の水溶液からなる懸濁液に、デンプン又は変性セルロースを添加する請求項１又は２に記載の製造方法。
【請求項７】
ポリビニルアミンＢ）と架橋剤Ｅ）との固形分の合計がフォームに対して１〜３０質量％の範囲である請求項１又は２に記載の製造方法。
【請求項８】
請求項１〜７のいずれか１項に記載の製造方法により得られるフォーム。
【請求項９】
密度が５０ｋｇ／ｍ３未満である請求項８に記載のフォーム。
【請求項１０】
ＤＩＮ  ＩＳＯ  ４５９０に準拠する連続気泡の割合が５０％を超える請求項８又は９に記載のフォーム。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
未加硫状態の空気式タイヤであって、その内壁が熱膨張性ゴム層を備えており、この層が、エラストマー、補強用充填剤、10phrと80phrの間の量の発泡剤および10phrと50phrの間の量のホットメルト化合物(その融点が70℃と150℃の間である)を少なくとも含むエラストマー組成物を含むことを特徴とする前記空気式タイヤ。
【請求項２】
前記エラストマーが、好ましくは、天然ゴム、合成ポリイソプレン、ポリブタジエン、ブタジエンコポリマー、イソプレンコポリマーおよびこれらのエラストマーの混合物からなる群から選ばれるジエンエラストマーである、請求項１記載の空気式タイヤ。
【請求項３】
前記エラストマー組成物が、ジエンエラストマーとして、50〜100phrの天然ゴムまたは合成ポリイソプレンを含む、請求項２記載の空気式タイヤ。
【請求項４】
前記エラストマー組成物が、ジエンエラストマーとして、50〜100phrのブチルゴムを含む、請求項２記載の空気式タイヤ。
【請求項５】
前記エラストマー組成物中の補強用充填剤の含有量が、10phrと100phrの間の量である、請求項１〜４のいずれか１項記載の空気式タイヤ。
【請求項６】
前記発泡剤が、アゾ、ニトロソ、ヒドラジン、カルバジド、セミカルバジド、テトラゾール、カーボネートおよびシトレート化合物、並びにそのような化合物の混合物からなる群から選ばれる、請求項１〜５のいずれか１項記載の空気式タイヤ。
【請求項７】
前記発泡剤が、アゾジカルボンアミド化合物である、請求項６記載の空気式タイヤ。
【請求項８】
発泡剤とホットメルト化合物の合計量が、30phrと115phrの間の量である、請求項１〜７のいずれか１項記載の空気式タイヤ。
【請求項９】
前記ホットメルト化合物が、尿素または尿素のホットメルト誘導体である、請求項１〜８のいずれか１項記載の空気式タイヤ。
【請求項１０】
請求項１〜９のいずれか１項記載の空気式タイヤを硬化させた後に得られた加硫状態の空気式タイヤ。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
８から１１のｐＨを有し、かつ亜鉛イオン、錯形成剤、フッ化物イオンおよび還元剤を含む、水性ジンケート処理組成物であって、
該還元剤が、次亜リン酸塩、ボラン化合物、水素化ホウ素、ヒドラジン、アルキルおよび／またはアリール置換されたヒドラジン、亜リン酸塩、ヒドロキシルアミン、アスコルビン酸、イソアスコルビン酸、ホルムアルデヒド、次亜リン酸、ならびに亜リン酸の１つまたはそれ以上として提供される、組成物。
【請求項２】
前記錯形成剤が、ピロリン酸塩、トリポリリン酸塩、リン酸塩、あるいはそれらの２つまたはそれ以上として提供される、請求項１に記載の組成物。
【請求項３】
前記塩が、カリウムカチオン、ナトリウムカチオン、あるいはアンモニウムカチオンまたはそれらの混合物を含む、請求項２に記載の組成物。
【請求項４】
前記亜鉛イオンが、硫酸亜鉛、酢酸亜鉛、水酸化亜鉛、酸化亜鉛、塩化亜鉛、フッ化亜鉛、クエン酸亜鉛またはスルホン酸亜鉛の１つまたはそれ以上として提供される、請求項１から３のいずれかに記載の組成物。
【請求項５】
前記フッ化物イオンが、フッ化カリウム、フッ化ナトリウム、フッ化亜鉛、フッ化アンモニウム、またはフッ化水素アンモニウムの１つまたはそれ以上として提供される、請求項１から４のいずれかに記載の組成物。
【請求項６】
前記組成物が：
０．００５Ｍから１．５Ｍの前記亜鉛イオン、
０．０１Ｍから２Ｍの前記錯形成剤、
０．０２５Ｍから１．５Ｍの前記フッ化物イオン、および
０．００５Ｍから１．５Ｍの前記還元剤、
を含む、請求項１から５のいずれかに記載の組成物。
【請求項７】
マグネシウムまたはマグネシウム合金基材をジンケート処理するための非電解方法であって：
該基材を非電解水性ジンケート処理組成物中に、該基材上に亜鉛酸塩を析出させるに充分な時間浸漬する工程、を含み、
ここで、該組成物が、亜鉛イオン、錯形成剤、フッ化物イオン、および還元剤を含み、そして８から１１の範囲のｐＨを有し、
該還元剤が、次亜リン酸塩、ボラン化合物、水素化ホウ素、ヒドラジン、アルキルおよび／またはアリール置換されたヒドラジン、亜リン酸塩、ヒドロキシルアミン、アスコルビン酸、イソアスコルビン酸、ホルムアルデヒド、次亜リン酸、ならびに亜リン酸の１つまたはそれ以上として提供される、方法。
【請求項８】
前記錯形成剤が、ピロリン酸塩、トリポリリン酸塩、リン酸塩、あるいはそれらの２つまたはそれ以上を含むとして提供される、請求項７に記載の方法。
【請求項９】
前記塩が、カリウムカチオン、ナトリウムカチオン、あるいはアンモニウムカチオンまたはそれらの混合物を含む、請求項８に記載の方法。
【請求項１０】
前記亜鉛イオンが、硫酸亜鉛、酢酸亜鉛、水酸化亜鉛、酸化亜鉛、塩化亜鉛、フッ化亜鉛、クエン酸亜鉛またはスルホン酸亜鉛の１つまたはそれ以上として提供される、請求項７から９のいずれかに記載の方法。
【請求項１１】
前記フッ化物イオンが、フッ化カリウム、フッ化ナトリウム、フッ化亜鉛、フッ化アンモニウム、またはフッ化水素アンモニウムの１つまたはそれ以上として提供される、請求項７から１０のいずれかに記載の方法。
【請求項１２】
前記組成物が：
０．００５Ｍから１．５Ｍの前記亜鉛イオン、
０．０１Ｍから２Ｍの前記錯形成剤、
０．００２５Ｍから１．５Ｍの前記フッ化物イオン、および
０．００５Ｍから１．５Ｍの前記還元剤、
を含む、請求項７から１１のいずれかに記載の方法。
【請求項１３】
前記亜鉛酸塩の前記析出および／または少なくとも１つの特性が、前記還元剤の不在における同様の方法と比較して向上している、請求項７から１２のいずれかに記載の方法。
【請求項１４】
前記還元剤の量が、前記基材上に析出した前記亜鉛酸塩の少なくとも１つの特性を向上させるに充分であり、ここで、該少なくとも１つの特性が、明度、色彩、輝度、該基材に対する密着性、および厚みの均一さの１つまたはそれ以上を含む、請求項７から１３のいずれかに記載の方法。
【請求項１５】
マグネシウムまたはマグネシウム合金基材をジンケート処理するための非電解方法であって：
亜鉛イオン、錯形成剤、フッ化物イオン、および８から１１の範囲のｐＨを含む、水性非電解組成物を調製する工程；
該組成物に、該マグネシウムまたはマグネシウム合金基材上への亜鉛酸塩の析出を向上させるに充分な量の還元剤を添加する工程；および
該基材を該組成物中に、該亜鉛酸塩を該基材上に析出させるに充分な時間浸漬する工程；
を含み、
ここで、該還元剤が、次亜リン酸塩、ボラン化合物、水素化ホウ素、ヒドラジン、アルキルおよび／またはアリール置換されたヒドラジン、亜リン酸塩、ヒドロキシルアミン、アスコルビン酸、イソアスコルビン酸、ホルムアルデヒド、次亜リン酸、ならびに亜リン酸の１つまたはそれ以上として提供される、方法。
【請求項１６】
前記還元剤の量が、前記基材上に析出した前記亜鉛酸塩の少なくとも１つの特性を向上させるに充分であり、ここで、該少なくとも１つの特性が、明度、色彩、輝度、該基材に対する密着性、および厚みの均一さの１つまたはそれ以上を含む、請求項１５に記載の方法。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
反応チャンバ内の基板にｈｉｇｈ−ｋ層をパッシベーションする方法であって、
前記反応チャンバ内にｈｉｇｈ−ｋ層を有する基板を提供する工程であって、前記ｈｉｇｈ−ｋ層は、塩素、臭素又はヨウ素を含む化合物と反応しやすい材料を含む、工程と、
フッ素を含む化学物質を前記反応チャンバに気相状態で提供し、フッ素を含む前記化学物質が前記ｈｉｇｈ−ｋ層と反応して、フッ素及びｈｉｇｈ−ｋ材料からの金属を含むパッシベーション層を形成する工程と、を含む方法。
【請求項２】
フッ素を含む前記化学物質は、金属を含む請求項１に記載の方法。
【請求項３】
前記パッシベーション層に電極を堆積する工程をさらに含む請求項１に記載の方法。
【請求項４】
前記電極は、ＡＬＤ又はＣＶＤを用いて形成される請求項３に記載の方法。
【請求項５】
前記電極は、Ｃｌ、Ｉ又はＢｒを含む前駆体を用いて形成される請求項３に記載の方法。
【請求項６】
前記電極は、チタンを含む請求項３に記載の方法。
【請求項７】
前記電極は、ＴｉＣｌ４を用いて堆積される請求項６に記載の方法。
【請求項８】
前記ｈｉｇｈ−ｋ層は、Ｓｒ又はＢａを含む請求項１に記載の方法。
【請求項９】
前記パッシベーション層は、Ｓｒ及びフッ素を含む請求項８に記載の方法。
【請求項１０】
ＴｉＮを含む前記電極は、２原子％を超えるフッ素を含む請求項３に記載の方法。
【請求項１１】
ＴｉＮを含む前記電極の層は、約１０ｎｍよりも小さい厚さを有し、５００μΩｃｍ未満の抵抗率を有する請求項３に記載の方法。
【請求項１２】
前記基板を、窒素を含む気相反応物質のパルスと接触させ、窒素を含む前記気相反応物質が、フッ素を含む前記化学物質と前記基板上で反応して、窒素を含む層を形成する工程を付加的に含む請求項１に記載の方法。
【請求項１３】
窒素を含む気相反応物質は、ＮＨ３を含む請求項１に記載の方法。
【請求項１４】
反応チャンバ内の基板に窒化チタンを含む薄膜を形成する化学気相成長（ＣＶＤ）方法であって、
前記反応チャンバ内にｈｉｇｈ−ｋ層を有する基板を提供する工程であって、前記ｈｉｇｈ−ｋ層は、塩素を含む化合物と反応しやすい材料を含む、工程と、
気相フッ化チタンを前記反応チャンバに提供する工程と、
窒素を含む気相反応物質を前記反応チャンバに提供し、窒素を含む前記気相反応物質が前記フッ化チタンと反応して、窒化チタンを含む薄膜を形成する工程と、を含む方法。
【請求項１５】
反応チャンバ内の基板に窒化チタンを含む薄膜を形成する方法であって、
前記反応チャンバにフッ化チタンを気相状態で提供する工程と、
窒素を含む気相反応物質を前記反応チャンバに提供して、窒素を含む前記気相反応物質が前記フッ化チタンと反応して、窒化チタンを含む薄膜を形成する工程と、を含み、
窒素を含む前記気相反応物質は、ＮＨ３又はＮ含有プラズマを含み、形成された前記窒化チタンの薄膜は、約４．９ｅＶより大きい仕事関数を有する、方法。
【請求項１６】
前記窒化チタンを含む薄膜を形成する方法は、ＡＬＤプロセスである請求項１５に記載の方法。
【請求項１７】
前記窒化チタンを含む薄膜を形成する方法は、ＣＶＤ又はパルスＣＶＤプロセスである請求項１５に記載の方法。
【請求項１８】
前記フッ化チタンは、ｈｉｇｈ−ｋ表面を含む基板に提供される請求項１５に記載の方法。
【請求項１９】
フッ化チタンを提供する前に、塩素、臭素又はヨウ素を含むチタン前駆体を用いて前記ｈｉｇｈ−ｋ表面にＴｉＮ層を堆積する工程をさらに含む請求項１８に記載の方法。
【請求項２０】
前記ｈｉｇｈ−ｋ表面は、ハフニウム又はジルコニウムを含む請求項１８に記載の方法。
【請求項２１】
前記窒素を含む前記気相反応物質は、ＮＨ３又はＮを含むプラズマを含む請求項１４に記載の方法。
【請求項２２】
ｈｉｇｈ−ｋ表面は、ハフニウム又はジルコニウムを含む請求項１４に記載の方法。
【請求項２３】
前記窒化チタンの層は、２原子％を超えるフッ素を含む請求項１５に記載の方法。
【請求項２４】
前記窒化チタンの薄膜は、約１０ｎｍよりも小さい厚さを有し、５００μΩｃｍ未満の抵抗率を有する請求項１５に記載の方法。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
セルロースおよびセルロースアセテートの複合フィラメントを含む生分解性の繊維。
【請求項２】
１種または複数のさらなる熱可塑性材料をさらに含む、請求項１に記載の繊維。
【請求項３】
前記さらなる熱可塑性材料が、ＰＨＢ、ＰＨＶＢ、ポリアクリロニトリル（ＰＡＮ）、ポリ−２−ヒドロキシエチルメチルアクリレート（ＰＨＥＭＡ）、ポリビニルアルコール（ＰＶＡ）、ポリアニリンおよびポリエチレングリコールの１つまたは複数から選択される、請求項２に記載の繊維。
【請求項４】
セルロースとセルロースアセテートの重量比が１０：９０〜９０：１０である、請求項１から３のいずれか一項に記載の繊維。
【請求項５】
セルロースとセルロースアセテートの重量比が２０：８０〜８０：２０である、請求項４に記載の繊維。
【請求項６】
セルロースとセルロースアセテートの重量比が３０：７０〜７０：３０である、請求項５に記載の繊維。
【請求項７】
１種または複数の可塑剤をさらに含む、請求項１から６のいずれか一項に記載の繊維。
【請求項８】
前記繊維の酸化分解反応を促進する触媒をさらに含む、請求項１から７のいずれか一項に記載の繊維。
【請求項９】
前記繊維上の静電荷を低減するための１種または複数の潤滑剤をさらに含む、請求項１から８のいずれか一項に記載の繊維。
【請求項１０】
請求項１から９のいずれか一項に記載の繊維から織り上げたまたは他の方法で生成された材料。
【請求項１１】
請求項１０に記載の材料から少なくとも部分的に作製された衣服またはソフトファニシング。
【請求項１２】
請求項１から９のいずれか一項に記載の繊維を製造する方法であって、
イオン性液体中またはＮ−メチルモルフォリン−Ｎ−オキシド（ＮＭＭＯ）中のセルロースおよびセルロースアセテートのブレンドを含む溶液ドープを用意するステップと、前記ブレンドをプロトン性溶媒中に紡糸または流延して繊維を生成するステップとを含む、繊維の製造方法。
【請求項１３】
前記ドープが、セルロースおよび／またはセルロースアセテートの溶解を促進するための非プロトン性溶媒をさらに含む、請求項１２に記載の繊維の製造方法。
【請求項１４】
前記非プロトン性溶媒が、ＤＭＳＯ、ＤＭＦ、ＴＨＦまたはジオキサンの１つまたは複数を含む、請求項１３に記載の繊維の製造方法。
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
複数の出力チャネルを含む出力面、第1プレート、及び第2プレートを有する薄膜材料堆積用の流体分配マニホールドであって、
前記第1プレートは、長さ次元、幅次元、並びに、前記第1プレートの長さ次元及び幅次元のうちの少なくとも1つにわたって前記第1プレートを変形可能にする厚さを有し、
前記第2プレートは、長さ次元、幅次元、並びに、前記第2プレートの長さ次元及び幅次元のうちの少なくとも1つにわたって前記第2プレートを変形可能にする厚さを有し、
前記第1プレート及び前記第2プレートは1つとなり、
前記第1プレート及び前記第2プレートのうちの少なくとも一の少なくとも一部は、前記第1プレート及び前記第2プレートを通り抜けて前記出力面へ向かう流体の流路を画定する凹凸パターンを有し、
前記第1プレート及び前記第2プレートは、前記複数の出力チャネルを含む前記出力面の少なくとも一部において非平面形状を形成するように、前記長さ次元と前記幅次元のうちの少なくとも1つに沿った高さ次元において変形することを特徴とする、
流体分配マニホールド。
【請求項２】
前記非平面形状が曲率半径を有する、請求項1に記載の流体分配マニホールド。
【請求項３】
前記非平面形状が高さの周期的な変化を有する、請求項1に記載の流体分配マニホールド。
【請求項４】
基板上に薄膜材料を堆積する方法であって：
基板を供する工程；
請求項1乃至3のうちのいずれか一項記載の流体分配マニホールドを供する工程；及び、
前記凹凸パターンにより画定された流体流を導く流路を気体物質に貫流させた後に、前記気体物質を前記流体分配マニホールドから前記基板へ向かうように流す工程；
を有する方法。
【請求項５】
請求項1乃至3のうちのいずれか一項記載の流体分配マニホールドを製造する方法。